【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
組織部位に減圧治療を適用する減圧治療システムにおいて、
キャニスタであって、
少なくとも１つの壁によって画定される液体収集チャンバと、
前記少なくとも１つの壁内に形成された第１気体連通路と、
前記少なくとも１つの壁内に形成された第２気体連通路と、
前記第１気体連通路と前記液体収集チャンバとの間に配置され、前記液体収集チャンバと前記第１気体連通路との間の気体の連通を可能にする第１開口部と、
前記第２気体連通路と前記液体収集チャンバとの間に配置され、前記液体収集チャンバと前記第２気体連通路との間の気体の連通を可能にする第２開口部と、
前記第１開口部内を液体が通過するのを実質的に防止するように前記第１開口部の上に配置された第１液体−空気分離体と、
前記第２開口部内を液体が通過するのを実質的に防止するように前記第２開口部の上に配置された第２液体−空気分離体と、
を備えるキャニスタと、
前記キャニスタと流体連通して、前記液体収集チャンバに減圧を送達する減圧源と、
前記液体収集チャンバと流体連通し、前記減圧を前記組織部位に分配するように前記組織部位に配置されたマニホルドと、
を具備することを特徴とする減圧治療システム。
【請求項２】
請求項１に記載の減圧治療システムにおいて、
前記少なくとも１つの壁が第１壁を含み、前記第１気体連通路が前記第１壁内に形成され、
前記少なくとも１つの壁が第２壁を含み、前記第２気体連通路が前記第２壁内に形成されることを特徴とする減圧治療システム。
【請求項３】
請求項２に記載の減圧治療システムにおいて、前記第１壁が前記第２壁に対向することを特徴とする減圧治療システム。
【請求項４】
請求項２に記載の減圧治療システムにおいて、前記第１壁が前記第２壁に隣接することを特徴とする減圧治療システム。
【請求項５】
請求項１に記載の減圧治療システムにおいて、前記少なくとも１つの壁が円筒形状であることを特徴とする減圧治療システム。
【請求項６】
請求項１に記載の減圧治療システムにおいて、
前記キャニスタが、
前記第１気体連通路および前記第２気体連通路に流体連結されたマニホルドチャンバと、
前記マニホルドチャンバに流体連結された減圧ポートと、
をさらに備えることを特徴とする減圧治療システム。
【請求項７】
請求項１に記載の減圧治療システムにおいて、前記キャニスタが、前記液体収集チャンバ内に配置された吸収性パッドをさらに備えることを特徴とする減圧治療システム。
【請求項８】
組織部位に減圧治療を適用する減圧治療システムにおいて、
キャニスタであって、
液体収集チャンバを形成する複数の壁と、
前記複数の壁のうちの第１壁および第２壁内に形成された気体連通路と、
前記気体連通路と前記液体収集チャンバとの間の前記第１壁に配置された第１開口部と、
前記気体連通路と前記液体収集チャンバとの間の前記第２壁に配置された第２開口部と、
前記第１開口部および前記第２開口部の各々を覆う液体−空気分離体と、
を備えるキャニスタと、
前記キャニスタと流体連通して、前記液体収集チャンバに減圧を送達する減圧源と、
前記液体収集チャンバと流体連通し、前記減圧を前記組織部位に分配するように前記組織部位に配置されたマニホルドと、
を具備することを特徴とする減圧治療システム。
【請求項９】
請求項８に記載の減圧治療システムにおいて、前記第１壁が前記第２壁に対向することを特徴とする減圧治療システム。
【請求項１０】
請求項８に記載の減圧治療システムにおいて、前記第１壁が前記第２壁に隣接することを特徴とする減圧治療システム。
【請求項１１】
請求項８に記載の減圧治療システムにおいて、前記気体連通路が、カバーによって覆われた前記第１壁および前記第２壁の凹部であることを特徴とする減圧治療システム。
【請求項１２】
請求項８に記載の減圧治療システムにおいて、
前記キャニスタが、
前記気体連通路に流体連結されたマニホルドチャンバと、
前記マニホルドチャンバに流体連結された減圧ポートと、
をさらに備えることを特徴とする減圧治療システム。
【請求項１３】
請求項８に記載の減圧治療システムにおいて、前記キャニスタが、前記液体収集チャンバ内に配置された吸収性パッドをさらに備えることを特徴とする減圧治療システム。
【請求項１４】
組織部位に減圧治療を適用する減圧治療システムにおいて、
キャニスタであって、
液体収集チャンバを形成する複数の壁であって、各々が内面および外面を有する、複数の壁と、
前記外面に第１凹部が形成されている、前記複数の壁のうちの第１壁と、
前記外面に第２凹部が形成されている、前記複数の壁のうちの第２壁と、
第１空間を形成するように、前記第１凹部の上に配置された第１カバーと、
第２空間を形成するように、前記第２凹部の上に配置された第２カバーと、
前記第１空間および前記液体収集チャンバを流体連結するように、前記第１壁に配置された第１開口部と、
前記第２空間および前記液体収集チャンバを流体連結するように、前記第２壁に配置された第２開口部と、
前記液体収集チャンバからの液体が前記第１壁の前記第１開口部から前記第１空間に入るのを実質的に防止するように配置された第１液体−空気分離体と、
前記液体収集チャンバからの液体が前記第２壁の前記第２開口部から前記第２空間に入るのを実質的に防止するように配置された第２液体−空気分離体と、
前記第１空間および前記第２空間に流体連結された減圧ポートと、
を備えるキャニスタと、
前記減圧ポートと流体連通して、前記液体収集チャンバに減圧を送達する減圧源と、
前記液体収集チャンバと流体連通し、前記減圧を前記組織部位に分配するように前記組織部位に配置されたマニホルドと、
を具備することを特徴とする減圧治療システム。
【請求項１５】
請求項１４に記載の減圧治療システムにおいて、前記第１壁が前記第２壁に対向することを特徴とする減圧治療システム。
【請求項１６】
請求項１４に記載の減圧治療システムにおいて、前記第１壁が前記第２壁に隣接することを特徴とする減圧治療システム。
【請求項１７】
請求項１４に記載の減圧治療システムにおいて、前記キャニスタが、前記液体収集チャンバ内に配置された吸収性パッドをさらに備えることを特徴とする減圧治療システム。
【請求項１８】
請求項１４に記載の減圧治療システムにおいて、
前記第１空間および前記液体収集チャンバを流体連結するように、前記第１壁に配置された第３開口部と、
前記第２空間および前記液体収集チャンバを流体連結するように、前記第２壁に配置された第４開口部と、
前記液体収集チャンバからの液体が前記第１壁の前記第３開口部から前記第１空間に入るのを実質的に防止するように配置された第３液体−空気分離体と、
前記液体収集チャンバからの液体が前記第２壁の前記第４開口部から前記第２空間に入るのを実質的に防止するように配置された第４液体−空気分離体と、
をさらに具備することを特徴とする減圧治療システム。
【請求項１９】
請求項１８に記載の減圧治療システムにおいて、
前記第１液体−空気分離体および前記第２液体−空気分離体が同一平面上にあり、
前記第２液体−空気分離体および前記第４液体−空気分離体が同一平面上にあることを特徴とする減圧治療システム。
【請求項２０】
請求項１４に記載の減圧治療システムにおいて、
前記第１凹部が実質的にＬ字型であり、前記第１凹部の頂点領域において第２脚部と交差する第１脚部を含み、
前記第１開口部が前記第１凹部の前記頂点領域に配置され、
前記第２凹部が、形状が実質的に矩形であり、第１端部および第２端部を含み、
前記第２開口部が前記第２凹部の前記第１端部に配置され、
前記キャニスタが、
前記第１凹部の前記第１脚部の前記頂点領域と反対側に配置された第３開口部と、
前記第１凹部の前記第２脚部の前記頂点領域と反対側に配置された第４開口部と、
前記第２凹部の前記第２端部に配置された第５開口部と、
前記液体収集チャンバからの液体が前記第３開口部から前記第１空間に入るのを実質的に防止するように配置された第３液体−空気分離体と、
前記液体収集チャンバからの液体が前記第４開口部から前記第１空間に入るのを実質的に防止するように配置された第４液体−空気分離体と、
前記液体収集チャンバからの液体が前記第５開口部から前記第２空間に入るのを実質的に防止するように配置された第５液体−空気分離体と、
をさらに備えることを特徴とする減圧治療システム。
【請求項２１】
請求項２０に記載の減圧治療システムにおいて、
前記第１開口部が、前記第１液体−空気分離体によって覆われた複数の開口部のうちの１つであり、
前記第２開口部が、前記第２液体−空気分離体によって覆われた複数の開口部のうちの１つであり、
前記第３開口部が、前記第３液体−空気分離体によって覆われた複数の開口部のうちの１つであり、
前記第４開口部が、前記第４液体−空気分離体によって覆われた複数の開口部のうちの１つであり、
前記第５開口部が、前記第５液体−空気分離体によって覆われた複数の開口部のうちの１つであることを特徴とする減圧治療システム。